(57)【特許請求の範囲】
【請求項１】
液体が流れる流路を内部に有するケーシングと、
該ケーシングに着脱可能に取付けられ、前記液体中の異物を除去するストレーナ本体部と、を備えたストレーナ装置において、
前記ケーシングは、前記ストレーナ本体部が取付けられる挿入口と、
前記ストレーナ本体部が挿入される円筒状の内部空間と、
該内部空間に前記液体が供給される流入口と、
前記ストレーナ本体部を通過した前記液体が流出する流出口とを有し、
前記ストレーナ本体部は、前記ケーシングに着脱可能に取付けられ前記挿入口を密閉する栓部と、
該栓部に連結し、前記内部空間に挿入された状態で前記液体をろ過するフィルタ部をもつストレーナとを有し、
前記ストレーナには、径方向外側への付勢力を有する環状突起部が設けられ、
該環状突起部は、前記内部空間の内周面の径よりも大きく、前記ケーシングに前記ストレーナ本体部を挿入した際に、径方向内側に縮んだ状態で前記付勢力により前記内周面に圧接しており、
前記環状突起部の先端には、径方向外側に設けられた環状の凸部を有し、該凸部の先端部が前記内周面に圧接され、
さらに、前記環状突起部の先端には、該先端側が開口した放射状の切欠き部が設られ、前記ストレーナ本体部が前記ケーシングに挿入された際、前記内周面により前記環状突起部の先端が径方向内側に押圧され、前記切欠き部により前記凸部が径方向内側に撓み、隣接する前記凸部の隙間が閉状態となる、
ことを特徴とするストレーナ装置。
【請求項２】
前記環状突起部は、前記内部空間の前記流出口側に突設している、ことを特徴とする請求項１に記載のストレーナ装置。
【請求項３】
前記環状突起部は、該環状突起部の先端より付根側に、肉薄となった窪み部が設けられる、ことを特徴とする請求項１または２に記載のストレーナ装置。
【発明の詳細な説明】
【技術分野】
【０００１】
本発明は、流体中の異物を除去するストレーナ装置に関し、特に、シャワートイレで使用される水の中の異物を除去するストレーナ装置に関するものである。
【背景技術】
【０００２】
従来、トイレ機器では、洗浄時に用いられる流体（例えば、水）の中の異物を除去するためストレーナ装置が取付けられている。例えば、特許文献１に示される、トイレ機器においては、止水栓と温水タンクとの間に、ストレーナ装置が設けられている。このストレーナ装置においては、流入口と流出口を有するケーシング（ボディー）に対して、流入口と流出口との間には着脱可能にストレーナ本体が取付けられ、ケーシングの内周面とストレーナ本体との隙間をシールするためＯリングを取付けた構成としている。また、流入口から供給される液体は、ストレーナ本体に設けられたメッシュを通過して、ストレーナ本体の内部に進入し、ストレーナ本体の内部から流出口へ流れる構成となっている。この場合、ストレーナ本体とケーシングの隙間では、Ｏリングによって液体が流れる上流側と下流側が区切られている構成となっている。
【先行技術文献】
【特許文献】
【０００３】
【特許文献１】特開２００２−１５９８０８号公報（第１図）
【発明の概要】
【発明が解決しようとする課題】
【０００４】
上記した従来技術のストレーナ装置によれば、ケーシングに装着されたストレーナ本体をケーシングから抜き出すとき、Ｏリング手前のケーシング内周面に残った異物がケーシング内部に残ってしまうため、ストレーナ本体の着脱を行うたびに、異物が流出口側へ流れてしまうおそれがある。
【０００５】
そこで、本発明は、ケーシングに対してストレーナ本体部を着脱する際に、液体中に含まれる異物がケーシングの内部に残りにくく、異物が流出口へ流出することを抑制できるストレーナ装置を提供することを目的とする。
【課題を解決するための手段】
【０００６】
上記した課題を達成するために講じた手段は、液体が流れる流路を内部に有するケーシングと、該ケーシングに着脱可能に取付けられ、前記液体中の異物を除去するストレーナ本体部と、を備えたストレーナ装置において、前記ケーシングは、前記ストレーナ本体部が取付けられる挿入口と、前記ストレーナ本体部が挿入される円筒状の内部空間と、該内部空間に前記液体が供給される流入口と、前記ストレーナ本体部を通過した前記液体が流出する流出口とを有し、前記ストレーナ本体部は、前記ケーシングに着脱可能に取付けられ前記挿入口を密閉する栓部と、該栓部に連結し、前記内部空間に挿入された状態で前記液体をろ過するフィルタ部をもつストレーナとを有し、前記ストレーナには、径方向外側への付勢力を有する環状突起部が設けられ、該環状突起部は、前記内部空間の内周面の径よりも大きく、前記ケーシングに前記ストレーナ本体部を挿入した際に、径方向内側に縮んだ状態で前記付勢力により前記内周面に圧接しており、前記環状突起部の先端には、径方向外側に設けられた環状の凸部を有し、該凸部の先端部が前記内周面に圧接され、さらに、前記環状突起部の先端には、該先端側が開口した放射状の切欠き部が設られ、前記ストレーナ本体部が前記ケーシングに挿入された際、前記内周面により前記環状突起部の先端が径方向内側に押圧され、前記切欠き部により前記凸部が径方向内側に撓み、隣接する前記凸部の隙間が閉状態となる、構成としたことである。
【０００７】
この場合、前記環状突起部は、前記内部空間の前記流出口側に突設していると良い。
【００１０】
更に、前記環状突起部は、該環状突起部の先端より付根側に、薄肉となった窪み部が設けられると良い。
【発明の効果】
【００１１】
上記した手段によれば、ストレーナに径方向外側に付勢力をもつ環状突起部が設けられ、該環状突起部は、前記内部空間の内周面の径よりも大きく、前記ケーシングに前記ストレーナ本体部を挿入した際、径方向内側に縮んだ状態で前記付勢力により前記内周面に圧接している構成としたことにより、ケーシングに装着されたストレーナ本体をケーシングから抜き出すとき、環状突起部がケーシング内周面を押圧しつつ摺動するため、ケーシングの内周面に付着した異物を掻き出すことができ、異物が流出口側へ流出することを抑制できる。
【００１２】
この場合、前記環状突起部を前記内部空間の前記流出口側に突設するようにすれば、ストレーナと内部空間との隙間を狭めた状態で環状突起部に径方向外側への付勢力を付与すること容易となる。
【００１３】
また、前記環状突起部の先端側に、径方向外側に設けられた環状の凸部を有し、凸部の先端で内周面に接触させるようにすれば、ストレーナ本体を取り出すとき、ストレーナ本体とケーシングの内周面に溜まった異物を周状の複数の凸部により掻き出すことが可能である。環状突起部はケーシングに形成された内部空間の内周面に対して、隙間なく接触させるのに好適であり、環状突起部の外形外側方向への付勢力を高めることができ、圧接力を向上させるのに好適である。
【００１４】
また、前記環状突起部の先端には、該先端側が開口した切欠き部が設られ、前記ストレーナ本体が前記ケーシングに挿入された際、前記内周面により前記環状突起部を径方向内側に押圧され、前記切欠き部により前記凸部が径方向内側に撓み、隣接する前記凸部の隙間が閉状態となる構成とすれば、切欠き部の形成により環状突起部がたわみ易くなり、ストレーナ本体の着脱時に、環状突起部に過度の負荷が部分的に掛かりにくくなり、切欠き部により着脱が容易となる。また、環状突起部の劣化を抑制される。
【００１５】
更に、前記環状突起部は、前記凸部よりも付根側に、薄肉となった窪み部を設けるようにすれば、環状突起部がたわみ易くなり、ストレーナ本体の着脱時に、環状突起部に加わる力が弱まり、着脱が容易となり、また突起部の劣化を抑制することができる。
【図面の簡単な説明】
【００１６】
【図１】本発明の実施形態におけるストレーナ装置の断面図である。
【図２】図１に示すケーシングに装着されていないストレーナ本体部の形状を示す断面図である。
【図３】図２のＡ方向から環状突起部を見た場合の要部部分矢視図である。
【図４】本発明のストレーナ装置をシャワートイレに適用した場合の取付図である。
【発明を実施するための形態】
【００１７】
本発明の実施形態について、図面を参照して説明する。
【００１８】
（実施形態１）
図１は、ケーシング１にストレーナ本体部２が装着された状態のストレーナ装置１０の説明を行う断面図である。図２は、ケーシング１に図１に示すストレーナ本体部２が装着されていない状態のストレーナ本体部２の形状を示す断面図である。また、図３は、図２のＡ方向から環状突起部を見たときの要部矢視図である。
【００１９】
図１に示されるように、ストレーナ装置１０は、液体（例えば、水）の流路を内部に有するケーシング１と、ケーシング１に着脱可能に取付けられ、液体中の異物を除去するストレーナ本体部２とを備える。
【００２０】
ケーシング１は、エルボ管状であり、ストレーナ本体部２が挿入される内部空間３１を有する第１管３と、第１管３へ液体を供給する第２管４を有する。第１管３と第２管４は、樹脂で一体に成形されたものである。第２管４は、第１管３の外周面にほぼ直角に連結している。その連結部には、第２管４から流入する液体が第１管３の内部空間３１に供給される流入口３３が設けられている。
【００２１】
第１管３は、ストレーナ本体部２が挿入される円筒状の内部空間３１と、内部空間３１に液体が供給される流入口３３と、液体が前記ストレーナ本体部２を通過した後、液体が流出する流出口３４と、内部空間３１にストレーナ本体部２を挿入するための挿入口３２を有する。第１管３は、一端に流出口３４、他端に挿入口３２、流出口３４と挿入口３２の間の側面に流入口３３をもち、流入口３３は挿入口３２に近い位置にある。
【００２２】
図２に示されるように、ストレーナ本体部２は、液体をろ過する円筒状のフィルタ部５１をもつストレーナ５と、ストレーナ５に着脱可能に取付けられるキャップ６を有する。
【００２３】
キャップ６は、ケーシング１に円筒状のストレーナ本体部２を着脱可能に取付けるための栓部６１と、ストレーナ５の雌コネクタ部７１に連結するための筒状の雄コネクタ部７２とを有する。栓部６１には、ケーシング１の流出口３２でケーシング１と螺着される螺着部６２と、ケーシング１の内部空間３１の一部に挿入される挿入部６３を有する。挿入部６３の外周には、栓部６１とケーシング１との水密性を確保するためのＯリング６４が設けられている。雄コネクタ部７２は、円筒状の側面に、雄コネクタ部７２の外部と内部と導通する第１開口７２ａを有している。第１開口７２ａは、雄コネクタ部７２と雌コネクタ部７１とを連結させた状態においても、雄コネクタ部７２の外周外側と内部が連通されるように形成される。
【００２４】
ストレーナ５は、液体をろ過するフィルタ部５１と、キャップ６の雄コネクタ部７２に着脱可能に連結するための雌コネクタ部７１を有する。フィルタ部５１は、一方の端面が第２開口５２となったカップ状の筒状体であり、筒状体の側面および底面の少なくとも一部に、異物を捕捉するためのフィルタ５３が形成されている。すなわち、第２開口５２から流入した液体はフィルタ部５１を通過して、フィルタ５３の外部へ流出する構成となっている。雌コネクタ部７１は、筒状体（環状体）であり、その内部がフィルタ部５１と導通するようにフィルタ部５１と一体に形成されている。また、雌コネクタ部７１の外径は、フィルタ部５１の外径よりも小さい。したがって、雌コネクタ部７１には、フィルタ部５１がある側、つまり、内部空間３１の下流側空間３１ｃに、雌コネクタ部７１の外周面とフィルタ部５１の外周面とをつなぐ段差面７１ａをもつ。
【００２５】
図１によれば、液体は、第２管４から、第１管３の流入口３３、内部空間３１の上流側空間３１ｂ、第１開口７２ａ、雄コネクタ部７２の内部、第２開口５２、フィルタ部５１の内部、フィルタ５３、内部空間３１の下流側空間３１ｃを通じて、流出口３４から流出する構成となっている。ここで、上流側空間３１ｂとは、内部空間３１のうち、液体の流れがフィルタ５３よりも上流側となる空間のことである。つまり、流入口３３からフィルタ５３までの流路である。また、下流側空間３１ｃとは、内部空間３１のうち、液体の流れがフィルタよりも下流側となる空間のことである。つまり、フィルタ５３から流出口３４までの流路のことである。
【００２６】
また、キャップ６とストレーナ５とを連結する部分、すなわち、雄コネクタ部７２と雌コネクタ部７１をストレーナ連結部７とした場合、液体は、第２管４から、第１管３の流入口３３、内部空間３１の上流側空間３１ｂ、第１開口７２ａ、ストレーナ連結部７の内部、第２開口５２、フィルタ部５１の内部、フィルタ５３、内部空間３１の下流側空間３１ｃを通じて、流出口３４から流出する構成となっている。
【００２７】
実施形態１の構成では、図１に示されるように、ストレーナ連結部７、すなわち、雌コネクタ部７１の段差面７１ａに、環状突起部８が設けられている。この環状突起部８は、雌コネクタ部７１と一体に成形された樹脂である。
【００２８】
環状突起部８は、内部空間３１の下流側空間３１ｃに向けて、内部空間３１の内周面３１ａに沿って突設している。この環状突起部８の先端部は、ケーシング１にストレーナ本体部２が挿入された状態では、径方向外側への付勢力を有し、内部空間３１の内周面３１ａに圧接されている。実施形態１によれば、環状突起部８の先端部には、径方向外側に向けて突形状となる凸部９を有する。この凸部９の先端部９ａが、内部空間３１の内周面３１ａに対して圧接されている。この圧接された部分は、水密に圧接されると良いが、液体中の捕集したい異物が通過しなければ良く、完全な水密でなくても良い。例えば、除去する異物の大きさよりも狭い所定の隙間あるいは孔があっても良い。また、異物をろ過するフィルタ５３の細孔よりも狭い隙間あるいは孔があっても良い。
【００２９】
この凸部９を含めた環状突起部８は、ケーシング１にストレーナ本体部２に挿入されていない状態では、環状突起部８の最外径が、ケーシング１の円筒状の内部空間３１の内径よりも若干大きい。よって、図１のようにケーシング１にストレーナ本体部２が挿入された場合、環状突起部８の最外径となる凸部９の先端部９ａが、内部空間３１の内周面３１ａにより径方向内側へ押圧される。そのため、環状突起部８の先端と付根との間の環状部が径方向内側に撓み、環状突起部８の先端は径方向外側へ付勢力が生じる。この付勢力により、内部空間３１の内周面３１ａに対して環状突起部８が圧接している。
【００３０】
このような構成のストレーナ装置１０において、液体が、流入口３３から内部空間３１の上流側空間３１ｂに流入した後、第１開口７２ａを通過せずに、ストレーナ連結部７の外周面、すなわち、雌コネクタ部７１の外周面と内部空間３１の内周面３１ａとの間に、液体が流れ込み、液体中に含まれる異物が溜まりやすい。
【００３１】
しかし、本発明のストレーナ装置１０においては、ストレーナ５（ストレーナ連結部７）に設けられた環状突設部８が、内部空間３１の内周面３１ａの内周に沿って圧接している、つまり、内周面の全体にわたって円環状に接触している。
【００３２】
そのため、ケーシング１に装着されたストレーナ本体部２をケーシング１から抜き出すとき、環状突起部８がケーシング内周面３１ａを押圧しつつ摺動するため、ケーシングの内周面３１ａに付着した異物を掻き出すことができ、異物が流出口３４側へ流出することを抑制できる。
【００３３】
また、ストレーナ本体部２がケーシング１に装着された状態においても、ケーシング内周面３１ａとストレーナ５（ストレーナ連結部７）との隙間から、液体中の異物が内部空間３１の上流から下流へ漏出することを防止することができる。
【００３４】
また、Ｏリングを使わずに、ケーシング１の内周面３１ａとストレーナ本体部２との隙間から、液体中の異物が内部空間３１の上流から下流へ漏出することを防止することができる。
【００３５】
更に、異物の漏出を防止する環状突起部８は、ストレーナ５と一体に形成された構成であるため、部品点数を増やすことなく、流出口３４への異物の漏出を防止することができる。
【００３６】
また、前記環状突起部は、前記内部空間の前記流出口側に突設している。
【００３７】
そのため、ストレーナと内部空間との隙間を狭めた状態で環状突起部に径方向外側への付勢力を付与すること容易となる。また、ストレーナ本体部２の着脱の際に、環状突起部８に掛かる荷重を、樹脂で形成された環状突起部８の弾性力により吸収することができ、着脱が容易となる。また、着脱の繰り返しに対する耐久性も向上し、着脱の繰り返しに対して、異物の掻き出し効果の低下を抑制することができる。
【００３８】
また、実施形態１では、環状突起部８の先端に径方向外側に設けられた環状の凸部９を有し、凸部９の先端部９ａが内部空間３１の内周面３１ａに圧接している。
【００３９】
そのため、環状突起部８を内部空間３１の内周面３１ａへの圧接力を高めると共に、隙間なく圧接するのに好適である。また、ケーシング１からストレーナ本体部２を取り出すとき、ケーシング１の内周面３１ａとストレーナ本体部２の外周面との間に溜まった異物を凸部９により掻き出し易くなる。
【００４０】
また、凸部９は、内部空間３１の内周面３１ａに接触する先端部９ａと、内部空間３１の下流側空間３１ｃに接する第１側面９ｂと、内部空間３１の上流側空間３１ｂに接する第２側面９ｃを有する。先端部９ａは、実施形態１では、鋭角として、内周面３１ａと円周に沿って線状に接触させている。しかし、先端部９ａは面状とし、内周面３１ａと面状に接触させても良い。また、先端部９ａを、鈍角、曲面等に接触させても良い。実施形態１において、第１面は、ストレーナ本体部２をケーシング１に挿入する際、ケーシング１の流出口３２やケーシング１内部の段差部等に当たっても、ケーシング１の内周面３１ａに沿って挿入しやすいように傾斜面となっている。また、第２面は、ストレーナ本体部２をケーシング１から取り出す際に、ストレーナ本体部２とケーシング１の間に溜まった異物を掻き出しやすくするために、第１側面９ｂよりも傾斜角度が大きい。実施形態１では、第２面の傾斜角度を９０°とした。
【００４１】
さらに、環状突起部８には、図３に示されるように、環状突起部８の先端側が開口した切欠き部８ａが放射状(周方向に６箇所)に設けられている。この切欠き部８ａは、ストレーナ本体部２が挿入されていない状態では隣合う凸部９が周方向に所定間隔を保ち切欠き部８ａを介して開口しているが、ストレーナ本体部２が挿入された状態では切欠き部８ａの間隔が周方向で狭くなり隣合う凸部９同士が当接して閉口する。
【００４２】
ケーシング１にストレーナ本体部２を取付ける場合、切欠き部８ａの開口が狭まり環状突起部８に掛かる負荷を、特定部位に集中させることなく分散して低減させることができる。また、ストレーナ本体部２が取付けられた後は、切欠き部８ａが閉口するため、切欠き部８ａからの異物の漏出が防止される。
【００４３】
さらに、環状突起部８には、図１に示されるように、先端部と付根の間となる中間環状部の外周側に薄肉となった環状の窪み部８ｂが設けられている。このような構成にすることにより、環状突起部８が窪み部８ｂにより径方向内側に付勢力に抗して撓みやすくなる。このストレーナ本体部２をケーシング１に着脱する際に、環状突起部８に掛かる荷重を、環状突起部８の弾性力により吸収しやすくなるため、着脱の繰り返しに対する耐久性が確保される。つまり、着脱の繰り返しに対して、異物の流出を防止する効果の低下が抑制される。
【００４４】
また、実施形態１の構成では、ストレーナ５の内側から外側へ液体が流れる構成となっている。このような構成にすることにより、液体中の異物の多くをストレーナの内部に溜めることができる。そのため、ケーシングとストレーナ本体部の隙間に溜まる異物を少なくすることができる。
【００４５】
（シャワートイレへの適用例）
図４は、上記したストレーナ装置１０を、シャワートイレ１００に適用した取付図を示す。本発明のストレーナ装置１０は、例えば、シャワートイレ１００のシャワー装置１０１に供給される水の中の異物を除去するために利用することができる。本発明のストレーナ装置１０によれば、簡易な構成で、水中の異物を除去することができる。尚、本発明のストレーナ装置は、上記実施形態に基づいて説明されているが、実施形態に限定されることなく、発明の要旨を逸脱しない範囲で種々の変形、変更及び改良が可能である。
【００４６】
（その他の実施形態）
１．本発明によるストレーナ装置は、内部空間３１の所定位置に縮径部をもち、ストレーナ本体部２が挿入された際に、縮径部の面により環状突起部８を径方向内側へ押圧する構成としても良い。この場合、環状突起部８の径方向外側への付勢力が高まり、環状突設部と内部空間３１の内周面３１ａとの圧接力を高めることができる。
【００４７】
２．本発明によるストレーナ装置は、凸部９を撓ませることにより、凸部９先端部９ａに径方向外側に付勢力が生じ、凸部９の先端部９ａが内部空間３１の内周面３１ａに対して環状突起部８の先端部を圧接している構成としてもよい。
【００４８】
３．本発明によるストレーナ装置は、ストレーナ連結部７が、ストレーナ部側を雄コネクタ部７２、キャップ６側を雌コネクタ部７１とした構成としても良い。この場合、環状突起部８は、雌コネクタ部７１に設けられると良い。
【００４９】
４．本発明によるストレーナ装置は、環状突起部８がストレーナ５の外周面（内部空間３１の内周面３１ａ側）に設けられる構成としてもよい。
【符号の説明】
【００５０】
１      ケーシング
２      ストレーナ本体部
５      ストレーナ
７      ストレーナ連結部
８      環状突起部
８ａ    切欠き部
８ｂ    窪み部
９      凸部
１０    ストレーナ装置
３１    内部空間
３１ａ  内周面
３２    挿入口
３３    流入口
３４    流出口
５１    フィルタ部
６１    栓部
７２ａ  第１開口（開口）
【図１】
0005605138.tif 000002
【図２】
0005605138.tif 000003
【図３】
0005605138.tif 000004
【図４】
0005605138.tif 000005